(57)【特許請求の範囲】
【請求項１】
少なくとも７枚のプレートを備える箱構造の接合構築方法であって、
前記プレートは、各々のプレートに１対の溝が設けられた６枚の主プレートからなる第１のグループと、残りのプレートで構成される副プレートからなる第２のグループとに分割され、
前記箱構造は、単層壁であって、各壁が前記主プレートのうちの１枚からなる壁、および／または複層壁であって、各壁が前記主プレートのうちの１枚と、前記副プレートのうちの少なくとも１枚とで作製される壁を備え、
前記箱構造は、少なくとも１枚の複層壁を有するものであり、
前記各プレートのエッジを他のプレートの溝に挿入して前記６枚の主プレートを結合するステップと、
前記副プレートのうちの少なくとも１枚を、前記主プレートの前記溝の前記主プレートの前記溝の残りの自由スペースに挿入するステップとによって、
前記箱構造が、組み立てられ、閉鎖される
ことを特徴とする箱構造の接合構築方法。
【請求項２】
前記プレートは、木材、合板、ガラス、石、金属、プラスチック、およびこれらを組み合わせた剛性材料で作製される
請求項１に記載の箱構造の接合構築方法。
【請求項３】
前記プレートは、フレーム形状であり、これによって内側のエッジにも前記プレートを受け入れる溝を付けることができる
請求項１または２に記載の箱構造の接合構築方法。
【請求項４】
前記プレートは、辺に沿って前記エッジの一部および／または前記溝の一部を取り除かれる
請求項３に記載の箱構造の接合構築方法。
【請求項５】
前記主プレートは、少なくとも１対の溝を備え、各溝が、１枚の前記主プレートのエッジを受け入れるか、あるいは少なくとも１枚の前記副プレートのエッジをさらに受け入れるように構成される
請求項１ないし４のいずれかに記載の箱構造の接合構築方法。
【請求項６】
前記主プレートは、すでに溝が備わっている面とは反対側の面に、かつ前記溝に対して垂直な２辺に、２本の追加の適切な溝を備える
請求項１ないし５のいずれかに記載の箱構造の接合構築方法。
【請求項７】
溝に対して直角方向に延びた主プレートは、さらに別のプレートを受け入れるのに適した追加の対の溝を備える
請求項１ないし６のいずれかに記載の箱構造の接合構築方法。
【請求項８】
前記１対の溝は平行であり、その対の各々は、１つの前記単層壁のエッジまたは１つの前記複層壁のエッジを受け入れるように構成される
請求項１ないし６のいずれかに記載の箱構造の接合構築方法。
【請求項９】
前記副プレートは、適切な２本の溝をふさわしい形で備えた各主プレートに対して、対でその役割を実行する
請求項１ないし６のいずれかに記載の箱構造の接合構築方法。
【請求項１０】
前記副プレートは、前記主プレートと完全に同じである上に、同じ溝を備えている
請求項１ないし９のいずれかに記載の箱構造の接合構築方法。
【請求項１１】
前記複層壁の箱構造は、バネ蝶番、南京錠、留め金、別の固定手段によって提供される
請求項１ないし１０のいずれかに記載の箱構造の接合構築方法。
【発明の詳細な説明】
【技術分野】
【０００１】
本発明は、多くの人工物を製造するのに使用される技術およびアセンブリ装置に関し、以下のような数多くの予測不可能な用途に関わるものである。
・本棚、テーブル、椅子などの家具および備品。
・種類、サイズ、質および構成が任意の包装体および箱。
・電子製品、機械などに対する多種類の枠。
・小さな家、容器、複雑な構造、台、小屋、タンクなど。
・玩具および小物。
【背景技術】
【０００２】
一般な背景は、接着剤、ネジ、ボルト、溶接、係合システム、成形を利用する前記技術からなるものである。本発明は、多くの場面でそのような技術を代替することを約束するものである。
【０００３】
以前に解決されなかった問題に代表される特定の技術水準もあるが、この技術は、箱形構造の５辺の設定を超えたことがなく、完全な係合システムを伴う解決策を見出してはいない。
【０００４】
特許文献１には、ブラケットおよびネジを利用する見かけ上の解決策が示されているが、これは、産業上の適用可能性という面では複合的で非効率になり、距離機能の面では曖昧になるものである
【先行技術文献】
【特許文献】
【０００５】
【特許文献１】英国特許９６９５７８号
【発明の概要】
【課題を解決するための手段】
【０００６】
本発明の接合構築システムは、少なくとも７枚のプレートを備える箱構造のための接合構築システムであって、  前記プレートは、各々のプレートに１対の溝が設けられた６枚の主プレートからなる第１のグループと、前記残りのプレートで構成される副プレートからなる第２のグループとに分割され、前記箱構造は、単層壁であって、各壁が前記主プレートのうちの１枚からなる壁、および／または複層壁であって、各壁が前記主プレートのうちの１枚と、前記副プレートのうちの少なくとも１枚とで作製される壁を備え、前記箱構造は、少なくとも１枚の複層壁を有し、前記箱構造は、まず前記６枚の主プレート、次に、前記副プレートのうちの少なくとも１枚のプレートを一緒に接合して組み立てられ、閉鎖されることを特徴とする。
【図面の簡単な説明】
【０００７】
【図１】表現する方法が最小である立方体の箱構造を示す説明図
【図２】平行六面体形状の箱構造を示す説明図
【図３】６枚の複層壁を有する箱構造を示す説明図
【図４】フレーム形状の壁を有する箱構造を示す説明図
【図５】壁が延出している箱構造を示す説明図
【図６】溝（１）およびエッジ（２）（３）を有する主プレートを示す説明図
【図７】簡易な副プレートの例を示す説明図
【図８】１枚の主プレートおよび１枚の副プレートからなる複層壁を示す説明図
【図９】１枚の主プレートおよび２枚の副プレートからなる複層壁を示す説明図
【図１０】溝を備えた複合型プレートの例を示す説明図
【図１１】副プレートの厚みを示す説明図
【図１２】主プレートの付柱を隠す形状をした副プレートを示す説明図
【図１３】エッジからエッジにわたって、かつ溝の上に模様を付したモデルを示す例の説明図
【図１４】主プレートの例を示す説明図
【図１５】溝に対して垂直方向に辺を延長した主プレートを示す説明図
【図１６】組み立てた材料からも得た主プレートを示す説明図
【図１７】組み立てたフレームの形状である主プレートを示す説明図
【図１８】単層壁と同じ厚みの複層壁（５）、または単層壁よりも厚みの大きい複層壁（６）を示す説明図
【図１９】主プレートの追加の溝（８）に挿入される形状である２枚の副プレート（７）を示す説明図
【図２０】２枚の副プレートを使用している箱構造を示す説明図
【図２１】主プレートの例を示す説明図
【図２２】プレートとの接合を示す説明図
【図２３】内部幅（９）が、奥行き（１０）と、受け入れられるようになっている様々なプレートの全体の厚みとを合わせたものに等しい様子を示す説明図
【図２４】７枚のプレートを有する構造を組み立てる第１のステップを示す説明図
【図２５】組み立ての第２のステップを示す説明図
【図２６】組み立ての第３のステップを示す説明図
【図２７】第４のステップであり、６枚目で最後の主プレートが、挿入されて下になるのに十分なスペースを有することを示す説明図
【図２８】副プレートの挿入を示す説明図
【図２９】しっかりと組み立てられた構造を示す説明図
【図３０】１２枚全部が完全に等しい溝入りのプレートからなる構造を示す説明図
【図３１】１段階前の３Ｄパズルの玩具が強調されている構造を示す説明図
【図３２】副プレートを挿入できるように角を修正したプレートからなる構造を示す説明図
【図３３】様々な構造を積み重ねられるように修正した上面を示す説明図。この図は、小テーブルのプレートを切断して最大数のシート材料を作り、無駄な加工を減らして物体（１２）を最大限小型化することを達成する方法を示しているだけである副プレートはガラスである（１３）。
【図３４】長い主プレート（１２）からなり、追加の対の溝と、構造を閉鎖する可能性のある種類の１つである副プレート（１１）とを備える、複雑な構造の例を示す説明図。「節」としてのシステムを使用する方法である。
【図３５】フレーム形状のプレートの内エッジへの係合を利用するシステムの選択肢のうちの１つの例を示す説明図。この本棚は、最小に小型化できるモジュールと、縦の係合とを利用するものである。
【図３６】副プレートがスライド式の蓋である箱の説明図
【図３７】副プレートが閉鎖式の蓋である箱の説明図
【図３８】構造を分解できないようにするために適用でき、穴に通すピンで操作するタブからなるロック式秘密装置の例を示す説明図
【発明を実施するための形態】
【０００８】
第１の態様によれば、本発明は、箱構造を組み立ててしっかりと閉鎖できる接合構築システムであって、少なくとも７枚のプレートを備える接合構築システムにおいて、
・上記プレートは、各々のプレートに１対の溝（図６）が設けられた６枚のプレートつまり主プレートからなる第１のグループと、残りのプレート（図７）で構成されるプレートつまり副プレートからなる第２のグループとに分割され、
・上記箱構造は、単層壁であって、各壁が上記主プレート（図６）のうちの１枚からなる壁、および／または複層壁であって、各壁が上記主プレートのうちの１枚と、上記副プレートのうちの少なくとも１枚とで作製される壁を備え、
・上記箱構造は、少なくとも1枚の複層壁を有し（図７、８、９）、
・上記箱構造は、まず上記６枚の主プレート、次に、上記副プレートのうちの少なくとも１枚のプレートを一緒に接合して組み立てられ、閉鎖される（図２４、２５、２６、２７、２８、２９）
ことを特徴とする、
接合構築システムからなる。
【０００９】
これはつまり、
ａ）最後の辺が、２ステップで２つの層に入り、
ｂ）各辺を同じように実施でき、
ｃ）各辺を３層以上で構成できる
ということである。
【００１０】
全般的に上記プレートすべてに係るもう１つの態様によれば、
・木材、プラスチック、ガラス、金属、コンクリート、石、およびこれらを任意に組み合わせたものなど、何らかの剛性材料で作製するか、又は切断若しくは溶融物の取り付けなどによって作製でき、切断、成形、組立（図１６、１７）、成形など、任意の方法で用意できる。
・所定の自由な寸法でよい。
・内側および／または外側の周囲を両エッジを横断してよい線とともに不規則な形状にも切断し、両エッジに溝を施してエッジの一部を取り除き、残りの部分が構造の気密性を保つのに十分なようにすることができる（図１６、１７）。
・フレーム形状によって内側のエッジにも溝を付けることができる（図１４）。この選択肢によって、８枚のプレートを使用する本棚（図３５）のような複数の箱構造を構築することができる。
・場合によって上記プレートを厚みのあるものにしてもよい（図１１）。
・上記プレートを、４つ角の上面で小部分を取り除いて、様々な構造を積み重ねられるようにすることができる（図３３）。
【００１１】
上記主プレートに係るもう１つの態様によれば、
・各主プレートに、嵌合するようになっているプレートのエッジを受け入れるように構成された少なくとも１対の対面する平行な溝を備える：図６（１）。
・各主プレートを、フレーム形態に構成したのち、内部を空洞にして、プレート内側のエッジも外側のエッジも溝と連結するようにできる（図４、５、１７、３５）。
・各主プレートを、溝とは反対側の面に、１対の副プレートを受け入れるように構成された追加の対の溝を備えることができる（図１９、２０）。
・様々な構造を互いにうまく連結して、何枚かのプレートを共通のものにできるということであり、この場合、各構造を「節」と考えなければならない。
【００１２】
上記副プレートに係るもう１つの態様によれば、
・少なくとも１枚の副プレートを使用して、上記箱構造を閉鎖しなければならない。これらのプレートは、異なる理由でも用いられるプレートの種類および数量にかかわらず、この主機能を有する。
・各副プレートを、任意に、主プレートとして構成することができ、その後に１対の上記溝を備えることもできる。これによって、単一のモジュールを使用して永久的な係合構造を構築することができる（図３０、３１、３２）。
・副プレートを、２つの特定の溝を備えた各主プレートの対で、ロック機能を実行することができる：図１９（７）、２０。
・各副プレートは、機能上または美観的な理由で厚みに起伏を持たせて成形してもよい（図１１）。
【００１３】
上記溝に係るもう１つの態様によれば、
・溝は、係合するように配置され、プレートのエッジを受け入れるように構成され、各主プレートの面の対面する２辺で、直線的かつ平行な対になるように構成される：図６（１）。
・溝の幅は、受け入れることになっている単層壁または複層壁の厚みの合計に等しい：図２３（１０）。
・溝は、様々に描かれた断面を有することができる。
【００１４】
上記複層壁に係るもう１つの態様によれば、
・複層壁の全体の厚みを、単層壁の厚みに等しくすることができる：図１８（５）。このようにすると、全プレートの溝は等しくなるが、主プレートの厚みは同じではない。
・複層壁は、主プレートすべてが同じ厚みであってよい：図１８（６）。このようにすると、プレートの溝は、同じ幅ではない。
【００１５】
任意で備える追加手段に係るもう１つの態様によれば、
・上記システムには、南京錠、または針を微細な穴に通すことのできる留め金のような、分解が難しい安全および秘密を守るための追加手段を備えることができる（図３８）。
【００１６】
組立手順に係るもう１つの態様によれば、
・単層または複層である最初の５枚の壁をそれぞれ、溝の中にエッジを挿入して組み立てるようにする（図２４から２６）。
・複層壁でなければならない最後の壁の主プレートを、まだ自由な状態の溝に挿入し、その後に係合させるようにする（図２７）。
・少なくとも１枚の副プレートを、溝の残りの自由なスペースに挿入しなければならず、構造をしっかりと閉鎖する（図２８、２９）。
【００１７】
いくつかの実施形態では、以下の試作品を作製した。
・玩具（図３０、３１、３２）。
【００１８】
この玩具は、１２枚のプレートすべてが完全に等しい（７２ｘ６０ｘ３ｍｍ）３Ｄパズルである。この玩具は、ＡＢＳ樹脂または木材で永久に作製できる単一の素子からなり、このゲームでは、単一のプレートが無限に組み立てられ、様々な構成に作ることができる。
・全体をコンパクトにできる（５０ｘ３５ｘ３ｃｍ）モジュール式本棚（図３４）。この本棚では、２枚の副プレートと、フレーム形状の６枚の主プレートのうちの２枚との８枚のプレートからなる方法を使用する。
・プーフまたはモジュール式本棚（図４）に戻せる、全体をコンパクトにできる小テーブル。これは、木材またはプレキシガラスで、多くの構成で実現可能である。このテーブルは、立方体（１辺４２ｃｍ）で、そのままのプレートまたはフレーム形状もしくは混合形状のプレートを有する。
【００１９】
本発明は、広範囲にわたる建設的な方法を有し、多くの予測不可能な用途に向いている。当該技術には、以下のいくつかの利点がある。
・連結装置を使用せずにこの技術が簡易になる。
・どのような種類の剛性材料にも適用可能である。
・必要な機械加工工程および労力が最小である。
・膨大な加工損失を生み出さない。
・ほぼそのままの素子が形成され、再利用性およびリサイクル性が高い。
・小型化できる可能性が高く、貯蔵および輸送に多くの利点がある。
・製造過程で組み立てる必要がない。
・組立が実に簡易で極めて迅速である。
・成形可能であり、無制限のデザイン構成に向いている。
・いくつかの建設的な方法がある。
・複雑な構造に対して節としての重要な機能を有する。
・３次元に沿った高耐性のシールを有する。
【図１】
0005902090.tif 000002
【図２】
0005902090.tif 000003
【図３】
0005902090.tif 000004
【図４】
0005902090.tif 000005
【図５】
0005902090.tif 000006
【図６】
0005902090.tif 000007
【図７】
0005902090.tif 000008
【図８】
0005902090.tif 000009
【図９】
0005902090.tif 000010
【図１０】
0005902090.tif 000011
【図１１】
0005902090.tif 000012
【図１２】
0005902090.tif 000013
【図１３】
0005902090.tif 000014
【図１４】
0005902090.tif 000015
【図１５】
0005902090.tif 000016
【図１６】
0005902090.tif 000017
【図１７】
0005902090.tif 000018
【図１８】
0005902090.tif 000019
【図１９】
0005902090.tif 000020
【図２０】
0005902090.tif 000021
【図２１】
0005902090.tif 000022
【図２２】
0005902090.tif 000023
【図２３】
0005902090.tif 000024
【図２４】
0005902090.tif 000025
【図２５】
0005902090.tif 000026
【図２６】
0005902090.tif 000027
【図２７】
0005902090.tif 000028
【図２８】
0005902090.tif 000029
【図２９】
0005902090.tif 000030
【図３０】
0005902090.tif 000031
【図３１】
0005902090.tif 000032
【図３２】
0005902090.tif 000033
【図３３】
0005902090.tif 000034
【図３４】
0005902090.tif 000035
【図３５】
0005902090.tif 000036
【図３６】
0005902090.tif 000037
【図３７】
0005902090.tif 000038
【図３８】
0005902090.tif 000039